(57)【要約】      （修正有）【課題】シンプルな構造にして、それぞれ移動自在な複数枚の移動式パネルを、床面に係合孔を設けずに、所望の位置で固定することができ、移動式パネルをガラス板で構成した場合であっても、ガラス板部分の大面積化が実現する。【解決手段】室内の天井部に固着したレールに縣吊され走行移動自在なパネル２の下端部と床面５との固定構造において、パネル２の下端辺に固着した下部フレーム８内に昇降自在な圧接フレーム９を設け、該圧接フレーム９を昇降押圧手段によって下降させ、床面に圧接させることによってパネルを床面に固定するようにした。【選択図】図１
2006183360.tif 000002
【特許請求の範囲】
【請求項１】
室内の天井部に固着したレールに縣吊され走行移動自在なパネルの下端部と床面との固定構造において、パネルの下端辺に固着した下部フレーム内に昇降自在な圧接フレームを設け、該圧接フレームを昇降押圧手段によって直線状に下降させ、床面に圧接させることによってパネルを床面に固定するようにしたことを特徴とする移動式パネルの固定構造。
【請求項２】
前記圧接フレームの昇降押圧手段として、前記下部フレームにラチェット歯車を設け、さらに押圧バネによって該ラチェット歯車と噛合しラチェット歯車の逆回転を防止するストッパー爪を設け、ラチェット歯車の正回転により圧接フレームを下降させ、ストッパー爪とラチェット歯車との噛合の解除操作で、復帰バネにより圧接フレームを上昇させるようにしたことを特徴とする請求項１記載の移動式パネルの固定構造。
【請求項３】
前記ラチェット歯車と同軸で回転する円板状部にＵ字状の切欠部を設け、該切欠部内に内接する駆動ピンを圧接フレームに設けて、前記ラチェット歯車と同時に円板状部を回転させる時に切欠部内の駆動ピンが切欠部の範囲内にあって、駆動ピンの昇降軌跡が垂直方向となるように昇降できるようにしたことを特徴とする請求項２記載の移動式パネルの固定構造。
【請求項４】
前記圧接フレームの下端面に弾性ゴムシートを貼着し、圧接フレームを床面に押し付けた時に、該ゴムシートを床面に圧接させることによって吊下げ移動式のパネルを床面に固定させるようにしたことを特徴とする請求項１乃至３のいずれかに記載の移動式パネルの固定構造。
【発明の詳細な説明】
【技術分野】
【０００１】
本発明は、建物の室内空間の間仕切り壁、パーティションを移動自在とした移動式間仕切り壁に関し、特に間仕切り壁の下辺部を床面に固定する構造に関する。
【背景技術】
【０００２】
従来より、建物内のオフィス、集会所、宴会場、講堂、会議室等の室内空間をパーティションボード等の間仕切り壁によって間仕切りし、プライバシーを確保すると共に、騒音を遮断できる機能的な快適空間を確保してきた。
【０００３】
さらに、使用目的の変化に対応した大きさの室内空間スペースに容易に変更できるように、間仕切り用のパーティションボードをスライド移動可能にして隅部位置に収納可能にして、複数の小空間を1つの大空間として使用できるようにしたものも普及している。
【０００４】
このような移動式パーティションを床面に固定する構造としては、パネル下端部に設けたフランス落し軸を、床面に設けた孔部内に挿入して固定する固定方法が知られている。
【０００５】
例えば、特開平５−１００６２号公報には、天井等に設けられたハンガーレールに多数枚のパネルを移動可能に吊下支持し、ハンガーレールに沿って各パネルを召し合わせた状態で同パネルを床面に固定する接床装置を作動させて接床框を床面に圧接後、丸落としを床面に設けた係合孔に係合させる間仕切りパネルの固定装置が開示されている（特許文献１）。
【０００６】
また、特開平８−４２２３８号公報には、大きな部屋を小さな部屋に仕切る移動間仕切りの縁部材に、前記大きな部屋の内側に接する接圧部材を伸縮可能に設けると共に、この接圧部材を自動的に伸縮させる駆動手段を前記移動間仕切り内部に設置したことを特徴とする移動間仕切りの接圧装置が開示されている（特許文献２）。
【特許文献１】特開平５−１００６２号公報
【特許文献２】特開平８−４２２３８号公報
【発明の開示】
【発明が解決しようとする課題】
【０００７】
特許文献１に記載の間仕切りパネルの固定装置は、操作摘みを上下方向に移動操作することによって、上下に移動するラックとこれに噛み合う歯車を介して接床框を床面に当接し、この段階で丸落し部分のみを床面に設けた係合孔内を下降させて係合するものであるため、接床框が床面に対して押圧固定するものではなく、床面との固定は丸落しと係合孔の係合によるものであり、床面にパネルの丸落しと係合する係合孔を設けなければならない。このため、係合孔を設けない位置でパネルを固定しようとしても、丸落しのみが床面を押圧することになり、接床框を床面に十分に固定させることはできない。
【０００８】
また、特許文献２に記載の移動間仕切りの接圧装置については、移動間仕切り壁に設けた接圧部材を各移動間仕切り壁内に設けたシリンダーや駆動モーター等によって自動的に昇降させて床面の敷居等に押し付け固定するものであるため、エア配管や電気配線も必要となり、内部構造が複雑となる。
【０００９】
また、移動間仕切りが不透明なパネルの場合には、接圧部材を駆動するシリンダー等の駆動部分が透視できないため問題ないが、透明、半透明、または着色したガラス板等で構成したパネルとする場合には、駆動シリンダー等の駆動部分を露出させないようにしなければならないため下部金属フレーム枠の高さが高くなり、パネルを前記ガラス板のみで構成する場合には、ガラス板部分の面積が小さくなってしまう。
【課題を解決するための手段】
【００１０】
本発明は、上記問題点、すなわち、シンプルな構造にして、それぞれ移動自在な複数枚の移動式パネルを、床面に係合孔を設けずに、所望の位置で固定することができ、移動式パネルをガラス板で構成する場合であっても、ガラス板部分の大面積化が実現できることを目的とする。
【００１１】
すなわち、本発明は、室内の天井部に固着したレールに縣吊され走行移動自在なパネルの下端部と床面との固定構造において、パネルの下端辺に固着した下部フレーム内に昇降自在な圧接フレームを設け、該圧接フレームを昇降押圧手段によって直線状に下降させ、床面に圧接させることによってパネルを床面に固定するようにしたことを特徴とする移動式パネルの固定構造である。
【００１２】
あるいは、本発明は、前記圧接フレームの昇降押圧手段として、前記下部フレームにラチェット歯車を設け、さらに押圧バネによって該ラチェット歯車と噛合しラチェット歯車の逆回転を防止するストッパー爪を設け、ラチェット歯車の正回転により圧接フレームを下降させ、ストッパー爪とラチェット歯車との噛合の解除操作で、復帰バネにより圧接フレームを上昇させるようにしたことを特徴とする上述の移動式パネルの固定構造である。
【００１３】
あるいはまた、本発明は、前記ラチェット歯車と同軸で回転する円板状部にＵ字状の切欠部を設け、該切欠部内に内接する駆動ピンを圧接フレームに設けて、前記ラチェット歯車と同時に円板状部を回転させる時に切欠部内の駆動ピンが切欠部の範囲内にあって、駆動ピンの昇降軌跡が垂直方向となるように昇降できるようにしたことを特徴とする上述の移動式パネルの固定構造である。
【００１４】
あるいはまた、本発明は、前記圧接フレームの下端面に弾性ゴムシートを貼着し、圧接フレームを床面に押し付けた時に、該ゴムシートを床面に圧接させることによって吊下げ移動式のパネルを床面に固定させるようにしたことを特徴とする上述のいずれかに記載の移動式パネルの固定構造である。
【発明の効果】
【００１５】
本発明により、それぞれ移動自在な複数枚のガラス板で構成した間仕切り壁のそれぞれを独立して移動できるので、移動パーティションの所望のいずれか一部のみ、または全部をオープン状態とすることができる。
【００１６】
また、移動パーティションの下端に設けた移動式パネルを床面に固定する場合には、床面に係合孔を設けず、圧接フレームを床面に押し付けるだけで固定させるので、所望の位置で固定することができる。
【００１７】
さらに、ラチェット歯車と同軸で回転するように設けた円板状部のＵ字状の切欠部内に内接する駆動ピンが、前記ラチェット歯車と共に円板状部を回転させた時に切欠部内の範囲内で相対的に移動できるので、前記ラチェット歯車の回転だけで垂直方向に昇降でき、ラックやシリンダを設ける必要がないので、下部フレームの上下高さを低くできる。
【発明を実施するための最良の形態】
【００１８】
図６、図７に示すように、建物の室内のパーティション（間仕切り壁）１を設置する部分の天井に移動式パネル２の移動用のレール３と、前記移動式パネル２を収納するための収納スペース５を前記レール３の片側端部近傍となる室内隅部に配設した。
【００１９】
また、前記レール３に沿って摺動かつ走行自在な吊下金具６より吊下ボルト７を垂下させ、該吊下ボルト７の下端に支持金具４が固定され、前記の各移動式パネル２、２、・・の上端部に設けた穿孔部に挿通したボルトとナットの締付からなる支持金具４によって吊下げ支持するものであり、移動式パネル２、２、・・はすべて同一レール３上を移動する。
【００２０】
本発明は、このような室内の天井部に固着したレールに縣吊され走行移動自在な移動式パネル２の下端部を床面５に固定する構造である。
【００２１】
図１、図２は、本発明の移動式パネルの圧接フレームの縦断面図であり、それぞれ面方向と厚み方向からみた固定前の縦断面図であり、図３、図４は、本発明の移動式パネルの圧接フレームの縦断面図であり、それぞれ面方向と厚み方向からみた固定後の縦断面図である。
【００２２】
図１に示すように、パネルの下端辺全辺にわたって、図２に示すような縦断面がＨ型形状の下部フレーム８の上端側開口部内に介装部材を介してガラス板、樹脂板や化粧板等のパネルを装着し、該下部フレーム８の下端側の開口部内に断面略コ字状の圧接フレーム９を昇降自在に設け、該圧接フレーム９の開口部は上方に向けた状態とした。
【００２３】
該圧接フレーム９は上昇させることにより、図１、図２に示すように下部フレーム８内に完全に収納された状態とすることができ、該圧接フレーム９を下降させれば図３、図４に示すように下部フレームの下端開口部から突出し、該圧接フレーム９を床面５と当接した状態とすることができる。
【００２４】
圧接フレーム９の下端面はほぼフラット面を有し、該フラット面には弾性ゴムシート１０を貼着して、圧接フレーム９を床面５に押し付けていくと、パネルは吊下げ状態から床面５での自立状態となるため、パネルの自重によって該ゴムシート１０を圧縮変形させることができ、これによって移動式パネル２を床面５に固定させることができる。
【００２５】
前記圧接フレーム９の昇降押圧手段として、前記下部フレーム８の内部にラチェット歯車１１と該ラチェット歯車１１と噛合するストッパー爪１２を設けた。
【００２６】
該ストッパー爪１２は、略くの字形状、または略Ｓ字形状部材の略中心を軸として片側の先端側にラチェット歯車１１と噛合する先端爪部１２ａを形成し、他端側と下部フレーム８間には押圧バネ１３を設けて、該押圧バネ１３の復元力により常時先端爪部１２ａがラチェット歯車１１に噛み合うようにし、ラチェット歯車１１が操作部２０によって正回転させるときは、歯車の歯が先端爪部１２ａを押し上げることができるのでラチェット歯車１１を正回転させることができ、操作部２０によって逆回転方向に回転させようとしても先端爪部１２ａとの噛み合いによって逆回転を防止することができる。
【００２７】
また、下部フレーム８と圧接フレーム９間には、それぞれの端部間同士を復帰バネ１５、１５で連結し、先端爪部１２ａをラチェット歯車１１から離して、それぞれが噛合していない状態で、圧接フレーム９を上昇可能にして下部フレーム８内に納まるようにした。
【００２８】
前記ラチェット歯車１１を操作部２０によって正回転させると、圧接フレーム９は復帰バネ１５、１５を引き伸ばしながら下降し、前記ストッパー爪１２のくの字形状またはＳ字形状部材の中心軸に設けた解除操作部１４を回転させて、ストッパー爪１２とラチェット歯車１１との噛合を解除して切り離す操作を行うと、引き伸ばされた復帰バネ１５、１５の復元力により圧接フレーム９を瞬時に上昇させることができる。
【００２９】
前記ラチェット歯車１１には、同軸で回転する円板状部１６にＵ字状の切欠部１７を設け、該切欠部１７内に内接するように駆動ピン１８を圧接フレーム９側に固着して設けたので、図５に示したように、前記ラチェット歯車１１を約９０度の角度範囲で回転させると、円板状部１６の切欠部１７内に内接する駆動ピン１８は、円弧状の軌跡を描いて移動する切欠部１７の範囲内で相対的に位置を変更できるので、駆動ピン１８は、符号１８’、１８”で点線で示したように垂直方向に直線的に移動し、駆動ピン１８に固着した圧接フレーム９の昇降軌跡も垂直方向となり、隣接するパネル２の配設後であっても互いに緩衝することなく昇降させることができる。
【００３０】
以上、好適な実施の形態について述べたが、本発明はこれに限定されるものではなく種々の応用が考えられる。
【００３１】
尚、本発明で使用するパネル２としては、ガラス板、樹脂板、あるいは合板等が対象であり、下部フレーム８、および圧接フレーム９は、アルミニウム、あるいはステンレス等の金属製とするのが良い。
【００３２】
移動式パネル２の下部フレーム８より圧接フレーム９を下降させる場合に、圧接フレーム９が床面５に当接した後、さらに圧接フレーム９を下降させようとすると、パネルは吊下げ状態から床面５での自立状態となるため、床面５からの反発力によって吊下げ支持されているパネル２自体を持上げてしまうのでパネルの自重によって該ゴムシート１０を圧縮変形させることができ、通常、パネル２の自重により圧接フレーム９下面に貼着したゴムシート１０が圧縮変形し、パネル２が床面５に固定される。
【００３３】
移動式パネル２と床面５との固定は、圧接フレーム９を床面５に押し付けて行えば所望位置で固定できるが、特に、全ての移動式パネルを用いて室内を完全に仕切る場合には、全パネルを配設後、ドア付きのパネルに隣接するパネルだけにフランス落しを用いてドア側にパネル２がずれないようにするのが良い。
【００３４】
さらには、ドアを有したパネル２とは反対側のレールの端部側に配設したパネル２についてもフランス落し等を設け、床面５にも受けた孔部に落とし込んで固定させ、圧接フレームを床面５に圧接するだけで固定したパネルを挟み込むようにすると良い。
【００３５】
次いで、本発明の移動式パネルの床面５への固定方法について述べる。
【００３６】
図６、図７に示すように、建物の室内の間仕切り位置端部に配設した収納スペース５内に格納された複数枚の移動式パネル２、２、・・より、天井面に設けたレール３に沿って吊下金具６及び支持金具４を介してガラス板等の移動式パネル２、２、・・を吊下支持し、レール３の下部の所望の間仕切り位置に移動式パネル２、２、・・を移動させた。
【００３７】
各移動式パネル２は、収納スペース５内での格納時、およびレール３に沿って移動させる時は、前記断面Ｈ字状の下部フレーム８の下端側開口部内に圧接フレーム９を収納した状態で行う。
【００３８】
本発明の移動式パネル２はレール３を敷設した所望の位置で固定できるが、移動式パネル２の全てを用いて室内を完全に仕切る場合には、全パネル２、２、・・を配設後、順次パネル２を床面５と固定していく。
【００３９】
また、移動式パネルの全てを用いて室内を完全に仕切る場合は、全パネルを配設後、ドア付きのパネル２に隣接するパネル２に設けたフランス落しを床面５の孔部内に落とし込んで固定し、該パネルがドア側のパネルにずれ込まないようにさせる。
【００４０】
各パネル２を床面５に固定させるには、ラチェット歯車１１を操作部２０によって正回転させて、圧接フレーム９を下降させる。各パネルの下部フレームに設けられたラチェット歯車１１の軸部である操作部２０だけを下部フレーム側面より露出させ、該軸部に着脱自在なハンドルを取り付け、これによってラチェット歯車１１を正回転させると、圧接フレーム９は復帰バネ１５、１５を引き伸ばしながら下降する。
【００４１】
また、各パネル２の床面５への固定を解除するには、前記ストッパー爪１２のくの字形状またはＳ字形状部材の中心軸部に設けた解除操作部１４を回転させて、ストッパー爪１２とラチェット歯車１１との噛合を解除して切り離す操作を行うと、復帰バネ１５、１５の復元力により圧接フレーム９を瞬時に上昇させることができる。尚、前記解除操作部１４は、ボルト状で下部フレーム８の側面より露出している。
【００４２】
前記ラチェット歯車１１には、同一軸で回転する円板状部１６にＵ字状の切欠部１７を設け、該切欠部１７内に内接する駆動ピン１８は圧接フレーム９側に固着して設けたので、図５に示したように、前記ラチェット歯車１１を約９０度の角度範囲で回転させると、円板状部１６の切欠部１７は、円弧状の軌跡を描いて移動するが、該切欠部１７内に内接する駆動ピン１８は、切欠部１７内の範囲内で相対的に内接位置が変化するので、駆動ピン１８は垂直方向に直線的に移動することになり、駆動ピン１８に固着した圧接フレーム９の昇降軌跡は垂直方向となり、隣接するパネル２が当接した状態にあってもパネル２が昇降時に互いに干渉することなく昇降させることができる。
【図面の簡単な説明】
【００４３】
【図１】本発明の移動式パネルの長手方向からみた固定構造の固定前の縦断面図。
【図２】本発明の移動式パネルの厚み方向からみた固定構造の固定前の縦断面図。
【図３】本発明の移動式パネルの長手方向からみた固定構造の固定後の縦断面図。
【図４】本発明の移動式パネルの厚み方向からみた固定構造の固定後の縦断面図。
【図５】本発明の圧接フレームの昇降機構を説明する図。
【図６】本発明の移動式パネルの全体正面図。
【図７】本発明の移動式パネルの全体平面図。
【符号の説明】
【００４４】
１          パーティション（間仕切り壁）
２          パネル
３          レール
４          支持金具
５          床面
６          吊下げ金具
７          吊下げボルト
８          下部フレーム
９          圧接フレーム
１０          ゴムシート
１１          ラチェット歯車
１２          ストッパ爪
１３          押圧バネ
１４          解除操作部
１５          復帰バネ
１６          円板状部
１７          切欠部
１８          駆動ピン
１９          フランス落し
２０          操作部
【図１】
2006183360.tif 000003
【図２】
2006183360.tif 000004
【図３】
2006183360.tif 000005
【図４】
2006183360.tif 000006
【図５】
2006183360.tif 000007
【図６】
2006183360.tif 000008
【図７】
2006183360.tif 000009